(57)【要約】【課題】画像データが第３者に送信されてしまう事態を防止することが可能な画像送信装置を提供する。【解決手段】画像送信装置は、送信先のアドレスを入力するための入力手段によりアドレスが入力される場合に、その入力者が正当な権限を持つものであるか否か認証を行う。認証により正当と判断した場合に、画像送信装置は入力された送信先のアドレス宛へ画像データを送信する。【選択図】        図６
2004289311.tif 000002
【特許請求の範囲】
【請求項１】
画像データを送信する画像送信装置において、
送信先のアドレスを入力するための入力手段と、
該入力手段によりアドレスが入力される場合に、認証を行う認証手段と、
該認証手段により正当と判断された場合に、前記入力手段により入力された送信先のアドレス宛へ画像データを送信する送信手段と
を備えることを特徴とする画像送信装置。
【請求項２】
前記認証手段により正当と判断された場合に、前記入力手段により入力されたアドレスをアドレスデータファイルに登録する登録手段
をさらに備えることを特徴とする請求項１に記載の画像送信装置。
【請求項３】
前記アドレスデータファイルに登録されたアドレスを読み出す読み出し手段をさらに備え、
前記認証手段は、前記読み出し手段により読み出されたアドレスを前記入力手段により編集する場合に、認証を行うよう構成してあり、
前記登録手段は、前記認証手段により正当と判断された場合に、編集後のアドレスを前記アドレスデータファイルに登録するよう構成してあることを特徴とする請求項２に記載の画像送信装置。
【請求項４】
前記送信手段は、前記読み出し手段により送信先のアドレスが読み出された場合は、前記認証手段による認証を行わずに画像データを前記アドレス宛へ送信するよう構成してあることを特徴とする請求項３に記載の画像送信装置。
【請求項５】
前記認証手段による認証を行うか否かを選択する選択手段をさらに備えることを特徴とする請求項１乃至４のいずれかに記載の画像送信装置。
【請求項６】
前記画像送信装置は、インターネットファクシミリ装置であり、前記アドレスは電子メールアドレスであることを特徴とする請求項１乃至５のいずれかに記載の画像送信装置。
【発明の詳細な説明】
【０００１】
【発明の属する技術分野】
本発明は、画像データを送信する画像送信装置に関し、特に送信先のアドレスを入力する場合に、認証を行う画像送信装置に関する。
【０００２】
【従来の技術】
読み取った画像を外部装置（送信先）へと通信経路（電話網）を介して送受信するファックスなどの画像送信装置がある。また最近では、ネットワーク通信網を使って画像を送受信するインターネットファックスなどの画像の送受信環境も整ってきている。一方、原稿画像の電子データ化、データの共有化も進み、ネットワーク環境を活用した職場環境が整備されてきている。そのような中、データの電子化、共有化が進むとデータの漏洩など保護（セキュリティ）環境も整備する必要がある。
【０００３】
従来は、パスワード（暗証番号）などにより使用者認証を行い、照合の結果予め登録されている認証情報と一致すれば、以降の画像送信装置の利用を許可する手段を搭載して、利用者認証による画像送信装置の無断使用を制限していた（例えば、特許文献１及び特許文献２）。
【０００４】
【特許文献１】
特開平３−２９４６１号公報
【特許文献２】
特開平４−１５７９６８号公報
【０００５】
【発明が解決しようとする課題】
しかしながら、パスワードなど照合情報が漏洩した場合などに、無断で画像送信装置を利用して画像情報を外部装置へと送信してしまう等の問題が発生する恐れがあった。また、送信先情報を直接入力する場合、利用者の不慣れな操作により入力ミス等が発生し、誤った送信先への画像データを送信してしまうという問題も発生している。特に最近では、上述したようにネットワーク環境の整備、データの電子化が進み、簡単に画像情報を外部装置へ送信することが可能であり、このような問題が顕在化してきた。その一方で過剰にセキュリティを強化した場合、却って画像送信装置の使い勝手が悪化するという問題もあった。
【０００６】
本発明は斯かる事情に鑑みてなされたものであり、その目的とするところは、画像データの送信先のアドレスを入力する際に認証を行うことにより、画像データが第３者に送信されてしまう事態を防止することが可能な画像送信装置を提供することにある。
【０００７】
また、本発明の他の目的は、認証処理を適宜選択して行うことにより、より使い勝手の良い画像送信装置を提供することにある。
【０００８】
【課題を解決するための手段】
本発明に係る画像送信装置は、画像データを送信する画像送信装置において、送信先のアドレスを入力するための入力手段と、該入力手段によりアドレスが入力される場合に、認証を行う認証手段と、該認証手段により正当と判断された場合に、前記入力手段により入力された送信先のアドレス宛へ画像データを送信する送信手段とを備えることを特徴とする。
【０００９】
本発明に係る画像送信装置は、前記認証手段により正当と判断された場合に、前記入力手段により入力されたアドレスをアドレスデータファイルに登録する登録手段をさらに備えることを特徴とする。
【００１０】
本発明に係る画像送信装置は、前記アドレスデータファイルに登録されたアドレスを読み出す読み出し手段をさらに備え、前記認証手段は、前記読み出し手段により読み出されたアドレスを前記入力手段により編集する場合に、認証を行うよう構成してあり、前記登録手段は、前記認証手段により正当と判断された場合に、編集後のアドレスを前記アドレスデータファイルに登録するよう構成してあることを特徴とする。
【００１１】
本発明に係る画像送信装置は、前記送信手段は、前記読み出し手段により送信先のアドレスが読み出された場合は、前記認証手段による認証を行わずに画像データを前記アドレス宛へ送信するよう構成してあることを特徴とする。
【００１２】
本発明に係る画像送信装置は、前記認証手段による認証を行うか否かを選択する選択手段をさらに備えることを特徴とする。
【００１３】
本発明に係る画像送信装置は、前記画像送信装置は、インターネットファクシミリ装置であり、前記アドレスは電子メールアドレスであることを特徴とする。
【００１４】
本発明にあっては、画像送信装置は、送信先のアドレスを入力するための入力手段によりアドレスが入力される場合に、その入力者が正当な権限を持つものであるか否か認証を行う。認証により正当と判断した場合に、画像送信装置は入力された送信先のアドレス宛へ画像データを送信する。このように構成したので、画像データがネットワークを通じて第３者に漏洩する事態を防止することが可能となる。
【００１５】
また、本発明にあっては、認証により正当と判断した場合に、画像送信装置は入力されたアドレスをアドレスデータファイルに登録する。そして、すでに登録したアドレスを編集する場合、画像送信装置はアドレスデータファイルに登録されたアドレスを読み出し、読み出したアドレスを編集する場合に、再度認証を行う。そして、認証により正当と判断された場合に、編集後のアドレスをアドレスデータファイルに登録更新する。このように構成したので、悪意のある者に送信先を自由に変更されるという事態を防止することが可能となる。
【００１６】
また、本発明にあっては、既に登録された送信先のアドレスがアドレスデータファイルから読み出された場合は、画像送信装置は認証を行わずに画像データをアドレス宛へ送信する。すなわち新たにアドレスが入力される場合及び入力されたアドレスが新規に登録、または修正等、編集される場合のみ、セキュリティを強化すれば十分であることから、既に登録されているアドレスを読み出して送信する場合は認証処理を省略したものである。従って、セキュリティを保持しつつ、より使い勝手の良い画像送信装置を提供することが可能となる。
【００１７】
さらに、本発明にあっては、上述した認証を行うか否かを選択可能に構成する。つまり、セキュリティのレベルを高める場合は、認証処理を画像送信装置に実行させ、セキュリティよりも使い勝手をよくする場合は、認証処理を画像送信装置に実行させないようにする。このように構成したので、ユーザの使用環境に応じた画像送信装置を提供することが可能となる。
【００１８】
【発明の実施の形態】
以下本発明を実施の形態を示す図面に基づいて詳述する。
実施の形態１
図１は本発明に係る画像送信装置のハードウェア構成を示すブロック図である。なお、以下では画像送信装置１を、インターネットファクシミリ装置１であるものとして説明するが、ファクシミリ機能のみを備えるものである他、コピー機としての機能及びプリンタとしての機能を併せ持つ複合機であっても良い。インターネットファクシミリ装置１は、バス１７を介してＣＰＵ（Ｃｅｎｔｒａｌ  Ｐｒｏｃｅｓｓｉｎｇ  Ｕｎｉｔ）１１、読取部１９，記録部１１０，表示部１４，操作部１３，符号化・復号化部１８，記憶部１５，ＲＡＭ（Ｒａｎｄｏｍ  Ａｃｃｅｓｓ  Ｍｅｍｏｒｙ）１２，画像メモリ１５１，モデム１６２，ＮＣＵ（Ｎｅｔｗｏｒｋ  Ｃｏｎｔｒｏｌ  Ｕｎｉｔ）１６１，ＬＡＮインタフェース１６３等が接続されている。
【００１９】
ＣＰＵ１１は、バス１７を介してインターネットファクシミリ装置１の上述したようなハードウェア各部と接続されていて、それらを制御すると共に、記憶部１５に格納された制御プログラム１５Ｐ及びセキュリティプログラム１５１Ｐに従って、種々のソフトウェア的機能を実行する。読取部１９は、例えばＣＣＤ（Ｃｈａｒｇｅ  Ｃｏｕｐｌｅ  Ｄｅｖｉｃｅ）を利用したスキャナで原稿を読み取り、読み取った画像データを出力する。記録部１１０は、電子写真方式のプリンタ装置であって、ファクシミリ通信により受信した画像データ、読取部１９にて読み取った原稿の画像データ、パーソナルコンピュータ（図示せず）からＬＡＮインタフェース１６３を介して送られてきた画像データ等をプリントアウトする。
【００２０】
表示部１４は、液晶表示装置等の表示装置であり、本発明のインターネットファクシミリ装置１の動作状態を表示、送信のために読み取った原稿の画像データ、他のファクシミリ装置から受信した画像データ、パーソナルコンピュータから送られてきた画像データ等の表示を行う。入力手段としての操作部１３は、本発明のインターネットファクシミリ装置１を操作するために必要な文字キー，テンキー，短縮ダイヤルキー，ワンタッチダイヤルキー，各種のファンクションキーなどを備えている。なお、表示部１４をタッチパネル方式とすることにより、操作部１３の各種キーの内の一部または全部を代用することも可能である。符号化・復号化部１８は、画信号を符号化圧縮すると共に、符号化圧縮されている画像データを元の画信号に復号化する。
【００２１】
ハードディスク等により構成される記憶部１５は、本発明のインターネットファクシミリ装置１の動作に必要な制御プログラム１５Ｐ及びセキュリティプログラム１５１Ｐを予め格納している。セキュリティプログラム１５１Ｐは、本発明にかかる認証処理（認証手段）等を実行するプログラムであり、ユーザの希望によりインストールされる。また、記憶部１５のアドレスデータファイル１５２には、操作部１３から入力された送信先のアドレスが登録されている。なお、アドレスはＦＡＸ番号または電子メールアドレス等であるが、以下ではアドレスを電子メールアドレスであるものとして説明する。
【００２２】
操作部ＲＡＭ１２は、ＳＲＡＭ（Ｓｔａｔｉｃ  Ｒａｎｄｏｍ  Ａｃｃｅｓｓ  Ｍｅｍｏｒｙ）またはフラッシュメモリ等で構成され、ソフトウェアの実行時に発生する一時的なデータを記憶する。画像メモリ１５１は、ＤＲＡＭ（Ｄｙｎａｍｉｃ  Ｒａｎｄｏｍ  Ａｃｃｅｓｓ  Ｍｅｍｏｒｙ）等で構成され、送信のために読み取った画像データ、他のファクシミリ装置から受信した画像データ、コンピュータから送られてきた画像データ等を蓄積する。
【００２３】
モデム１６２は、バス１７に接続されており、ファクシミリ通信が可能なファクシミリモデムから構成されている。また、モデム１６２は、同様にバス１７に接続されたＮＣＵ１６１と直接的に接続されている。ＮＣＵ１６１は、電話回線網との回線Ｌの閉結及び開放の動作を行うハードウェアであり、必要に応じてモデム１６２を電話回線網と接続する。
【００２４】
図２は操作部１３及び表示部１４の概要を示す模式図である。表示部１４は液晶ディスプレィで構成され、その上側には操作部１３の一部を構成するタッチパネル１３９が積層されている。タッチパネル１３９からは、コピーの濃度設定、用紙の選択、倍率の設定等の各種設定がユーザの操作により可能となっている。操作部１３の右側部分には、テンキー１３１，テンキー１３１にて入力された数値データ等を修正するクリアボタン１３２，画像データの読み込み、送信等を開始するスタートボタン１３４、コピー枚数、画質等の設定を初期化または画像データの送信、コピー等を初期化する全解除ボタン１３３が用意されている。
【００２５】
一方、操作部１３のタッチパネル１３９に隣接する中央部分には、プリンタボタン１３５，ＦＡＸボタン１３６，コピーボタン１３７及び「ユーザ設定」ボタン１３８が用意される。上述したように、本実施の形態にかかるインターネットファクシミリ装置１はプリンタ機能、ファクシミリ機能及びコピー機能を備えるため、ユーザが希望する用途に応じてプリンタボタン１３５，ＦＡＸボタン１３６，及びコピーボタン１３７を操作することにより、プリンタ、ファクシミリ装置，またはコピー機としてインターネットファクシミリ装置１を使用する。「ユーザ設定」ボタン１３８は、後述する送信先のアドレスの登録、選択、編集、または日時の設定等の各種設定を行う場合に操作する。
【００２６】
上述した各ボタンを備える操作部１３が操作された場合、それぞれのボタンに対応した信号がＣＰＵ１１に出力される。ＣＰＵ１１は記憶部１５に記憶された制御プログラム１５Ｐに従い、操作部１３からの出力に応じた処理を実行すると共に、必要な案内情報を記憶部１５から読み出して表示部１４に出力する。以下に表示部１４の表示の流れを説明する。
【００２７】
図３乃至図１４は表示部１４に表示される案内情報のイメージを示す説明図である。図２において、ＦＡＸボタン１３６を操作した場合、図３に示す画面が表示される。「相手先リスト」を操作した場合、ＣＰＵ１１はアドレスデータファイル１５２から既に登録済みのアドレスに対応する相手先名（「Ｓ社」、「Ｂ社」等）を読み出して図４の如く一覧表示する。ここで、相手先名をタッチパネル１３９から選択した場合、対応するアドレスがアドレスデータファイル１５２から読み出され、該アドレス宛へ画像メモリ１５１に格納された画像データが送信される。このように図３において、既に登録しているアドレスを呼び出すために「相手先リスト」を選択した場合、ＣＰＵ１１は認証処理を行うことなく図４の画面を表示して、アドレスの選択を許可する。
【００２８】
これに対し、図３において未だ登録されていないアドレスを入力するために、「Ｅ−ＭＡＩＬアドレス」ボタンを操作した場合、ＣＰＵ１１は認証処理を行うべく図５に示す認証画面を表示する。認証画面にはパスワードの入力を促す画面が表示される。ユーザはパスワードをテンキー１３１から入力する。ＣＰＵ１１は予め記憶部１５に記憶されたパスワードと入力されたパスワードとを比較し、一致する場合にのみ、図６に示す電子メールアドレス入力画面を表示する。なお、本実施の形態においてはパスワードによる認証を行ったが、指紋等の生体情報を用いて認証を行うようにしても良い。
【００２９】
認証処理後、ユーザはテンキー１３１から送信先の電子メールアドレスを入力する。ユーザは電子メールアドレスの入力後、タッチパネル１３９を通じて「ＯＫ」ボタンを操作する。「ＯＫ」ボタンが操作された場合は、ＣＰＵ１１は図７に示す画面を表示する。図７においては、送信する画像データのファイル形式及び圧縮形式を選択することが可能となっている。ファイル形式としては、ＰＤＦ（Ｐｅｒｓｏｎａｌ  Ｄｏｃｕｍｅｎｔ  Ｆｏｒｍａｔ）（登録商標）、ＴＩＦＦ（Ｔａｇｇｅｄ  Ｉｍａｇｅ  Ｆｉｌｅ  Ｆｏｒｍａｔ）（登録商標）等を選択することができる。また圧縮形式としては、圧縮を行わない場合の他、ＭＨ（Ｇ（Ｇｒｏｕｐ）３）、ＭＭＲ（Ｇ（Ｇｒｏｕｐ）４）等の圧縮形式を選択することができる。ユーザがファイル形式及び圧縮形式を選択し、「ＯＫ」ボタンを選択した場合、ＣＰＵ１１は画像メモリ１５１から画像データを読み出し、ファイル形式の変換処理及び圧縮処理を行った上で、入力された電子メールアドレス宛へ、画像データを送信する。
【００３０】
続いて、送信先の電子メールアドレスの新規登録及び登録済みのアドレスの編集処理について説明する。図２における「ユーザ設定」ボタン１３８が入力された場合、ＣＰＵ１１は、図８に示すメニュー画面を記憶部１５から読み出して表示する。メニュー画面には画面コントラスト、日付・時刻設定、アドレス編集等、各種設定を行うための項目が表示される。ユーザが「アドレス編集」ボタンを操作した場合、ＣＰＵ１１は図９に示す画面を表示する。図９に示すように、「新規登録」ボタン及び「登録済アドレスを編集」ボタンが表示される。ここで、ユーザが「新規登録」ボタンを操作した場合、ＣＰＵ１１は認証を行うために上述した図５の認証画面を表示する。
【００３１】
ここで認証により正当であると判断された場合は、ＣＰＵ１１は図１０に示す画面を表示する。ユーザはテンキー１３１等を用いて、電子メールアドレス及び電子メールアドレスに対応する相手先名等を入力する。ユーザが、「終了」ボタンを操作した場合、入力されたアドレス及び相手先名がアドレスデータファイル１５２に登録される。これにより、図３において「相手先リスト」ボタンを操作した場合、図４に示すように、相手先名がＣＰＵ１１によりアドレスデータファイル１５２から読み出されて表示部１４に表示される。
【００３２】
一方、図９において「登録済アドレスを編集」ボタンが操作された場合、ＣＰＵ１１は、認証を行うために上述した図５の認証画面を表示する。ここで認証により正当であると判断された場合は、ＣＰＵ１１は図１１に示す画面を表示する。図１１に示すように、ＣＰＵ１１はアドレスデータファイル１５２から読み出した相手先名を表示部１４に一覧表示する。ユーザは編集を希望する相手先名を選択する。これによりＣＰＵ１１は相手先名に対応する電子メールアドレス等をアドレスデータファイル１５２から読み出して、図１２の如く表示する。ユーザは編集を希望する項目（相手先名、電子メールアドレス、インデックス、検索文字等）を選択し、テンキー１３１から編集内容を入力する。ＣＰＵ１１は編集後のデータをアドレスデータファイル１５２に記憶する。このように、電子メールアドレスを送信時に直接入力する場合、アドレスデータファイル１５２へ新規に登録する場合及び既に登録された電子メールアドレスを編集する場合は、図５に示す認証処理を行うようにしたので、画像データが第３者へ送信される事態を防止することが可能となる。
【００３３】
ただし、上述した認証はユーザの設定により解除することも可能である。以下にその内容を説明する。図８におけるメニュー画面において「キーオペレータプログラム」ボタンを操作した場合、ＣＰＵ１１は図１３に示す認証画面を表示する。ユーザはテンキー１３１からパスワードを入力する。ＣＰＵ１１は、入力されたパスワードを基に認証を行い、正当であると判断した場合にのみ、図１４に示す画面を表示する。図１４に示すように、認証処理を行うか否かの選択画面が表示される。「通常」ボタンは電子メールアドレスを入力する際に認証を行わない設定にする場合に操作する。一方「セキュリティ環境」ボタンは電子メールアドレスを入力する際に認証を行う設定にする場合に操作する。これにより、ユーザのインターネットファクシミリ装置１の使用環境に応じたセキュリティを設定することが可能となる。
【００３４】
以上の構成において、本発明の認証処理の手順を、フローチャートを説明する。図１５は認証処理を行うか否かの設定を行う際の手順を示すフローチャートである。まず、ＣＰＵ１１はセキュリティ環境の設定を行うか否かを判断する（ステップＳ１５１）。具体的には、図８におけるメニュー画面が表示されている場合において、認証処理を行うか行わないかをユーザが選択するために、タッチパネル１３９により「キーオペレータプログラム」ボタンが操作されたか否かを判断する。セキュリティ環境の設定であると判断した場合（ステップＳ１５１でＹＥＳ）、すなわちＣＰＵ１１が操作部１４から「キーオペレータプログラム」ボタンに相当する信号を受け付けた場合、図１３に示す認証画面を記憶部１５から読み出して表示する。そして、テンキー１３１からパスワードの入力を受け付ける（ステップＳ１５２）。一方、ステップＳ１５１においてＮＯの場合、セキュリティ環境の設定の変更を行わず一連の処理を終了する。
【００３５】
ステップＳ１５２において、パスワードを受け付けた場合、ＣＰＵ１１はパスワードが正当であるか否かを判断する（ステップＳ１５３）。ＣＰＵ１１は予め記憶部１５に記憶したパスワードと、受け付けたパスワードを比較し、正当でないと判断した場合（ステップＳ１５３でＮＯ）、処理を終了する。一方、正当であると判断した場合（ステップＳ１５３でＹＥＳ）、ＣＰＵ１１は記憶部１５から図１４の画面を読み出して表示する。そして、セキュリティ環境の設定を受け付ける（ステップＳ１５４）。すなわち、認証処理を行うか、または行わないのかの選択を受け付ける。続いて、ＣＰＵ１１は操作部１３から認証処理を行うとの情報を受け付けたか否かを判断する（ステップＳ１５５）。具体的には、ＣＰＵ１１は図１４に示す「セキュリティ環境」ボタンが入力されたか否かを判断する。
【００３６】
認証処理を行うと判断した場合（ステップＳ１５５でＹＥＳ）、すなわちＣＰＵ１１が操作部１３から「セキュリティ環境」ボタンに対応する信号を受け付けた場合、記憶部１５にフラグ「１」をセットする（ステップＳ１５６）。一方認証処理を行わないと判断した場合（ステップＳ１５５でＮＯ）、すなわちＣＰＵ１１が操作部１３から図１４に示す「通常」ボタンに対応する信号を受け付けた場合、記憶部１５にフラグ「０」をセットする（ステップＳ１５７）。これにより、ユーザにより認証処理の履行／不履行を選択することが可能となる。なお、ＣＰＵ１１はフラグ「１」がセットされた場合、セキュリティプログラム１５１Ｐを実行し、必要に応じて割り込み処理を行い、認証処理を行う。一方、ＣＰＵ１１はフラグ「０」がセットされている場合は、セキュリティプログラム１５１Ｐを実行しない。
【００３７】
図１６は電子メールアドレスを入力する際の、認証処理の手順を示すフローチャートである。まず、ユーザの図２に示すＦＡＸボタン１３６の操作により、ＣＰＵ１１はファックスモードへ移行する（ステップＳ１６１）。次にＣＰＵ１１は送信先の電子メールアドレスをユーザが直接入力するのか否かを判断する（ステップＳ１６２）。すなわちＣＰＵ１１は図３に示す「Ｅ−ＭＡＩＬアドレス」ボタンが操作されたか否かを判断する。ここで、電子メールアドレスを直接入力すると判断した場合（ステップＳ１６２でＹＥＳ）、つまり操作部１３から「Ｅ−ＭＡＩＬアドレス」ボタンに対応する信号が出力された場合、ＣＰＵ１１はセキュリティ環境にあるか否かを判断する（ステップＳ１６３）。
【００３８】
具体的には、ＣＰＵ１１は、記憶部に記憶したフラグが「１」であるか否かを判断する。セキュリティ環境にあると判断した場合（ステップＳ１６３でＹＥＳ）、テンキー１３１からパスワードの入力を受け付ける（ステップＳ１６４）。ＣＰＵ１１はパスワードが正当であるか否かを判断する（ステップＳ１６５）。ＣＰＵ１１は予め記憶部１５に記憶したパスワードと、受け付けたパスワードを比較し、正当でないと判断した場合（ステップＳ１６５でＮＯ）、処理を終了する。一方、正当であると判断した場合（ステップＳ１６５でＹＥＳ）、ＣＰＵ１１は記憶部１５から図６の画面を読み出して表示する。
【００３９】
そして、テンキー１３１から電子メールアドレスの入力を受け付ける（ステップＳ１６７）。一方、ステップＳ１６３においてセキュリティ環境でないと判断した場合（ステップＳ１６３でＮＯ）、つまりＣＰＵ１１が記憶部１５のフラグが「０」であると判断した場合、ステップＳ１６４およびＳ１６５の処理をスキップしてステップＳ１６７へ移行する。
【００４０】
ステップＳ１６２において、電子メールアドレスを直接入力しない場合（ステップＳ１６２でＮＯ）、つまりＣＰＵ１１が、図３において既に登録されたアドレスをユーザが呼び出すべく「相手先リスト」ボタンを操作されたと判断した場合、ＣＰＵ１１はアドレスデータファイル１５２から相手先名をＲＡＭ１２に読み出す（ステップＳ１６８）。ＣＰＵ１１はＲＡＭ１２に読み出した相手先名を表示部１４に図４の如く表示する（ステップＳ１６９）。ＣＰＵ１１は、操作部１３から送信先の相手先名の選択を受け付ける（ステップＳ１６１０）。ＣＰＵ１１は受け付けた相手先名を基に、アドレスデータファイル１５２を検索し、対応する電子メールアドレスを読み出す（ステップＳ１６１１）。
【００４１】
その後、ＣＰＵ１１は送信対象である画像データを画像メモリ１５１から読み出し（ステップＳ１６１２）、画像データを電子メールアドレス宛へ送信する（ステップＳ１６１３）。このように、セキュリティ環境の設定に応じて適宜、認証処理を行い、また既に登録されている相手先である場合は認証処理を省略したのでセキュリティを維持しつつより使い勝手の良い画像送信装置を提供することが可能となる。
【００４２】
図１７は電子メールアドレスを新規登録または編集する場合の処理手順を示すフローチャートである。まず、ＣＰＵ１１は電子メールアドレスが新規登録であるか否かを判断する（ステップＳ１７１）。具体的には図９における「新規登録」ボタンが操作されたのか、または「登録済アドレスを編集」ボタンが操作されたかのかを判断する。ＣＰＵ１１が新規登録であると判断した場合（ステップＳ１７１でＹＥＳ）、すなわちＣＰＵ１１が操作部１３から「新規登録」ボタンに対応する信号を受け付けた場合、ＣＰＵ１１はセキュリティ環境に設定されているか否かを判断する（ステップＳ１７２）。ＣＰＵ１１がセキュリティ環境に設定されていると判断した場合（ステップＳ１７２でＹＥＳ）、テンキー１３１からパスワードの入力を受け付ける（ステップＳ１７３）。
【００４３】
ＣＰＵ１１はパスワードが正当であるか否かを判断する（ステップＳ１７４）。ＣＰＵ１１は予め記憶部１５に記憶したパスワードと、受け付けたパスワードを比較し、正当でないと判断した場合（ステップＳ１７４でＮＯ）、処理を終了する。一方、正当であると判断した場合（ステップＳ１７４でＹＥＳ）、ＣＰＵ１１は記憶部１５から図１０の画面を読み出して表示する。ステップＳ１７２において、セキュリティ環境に設定されていないと判断した場合は（ステップＳ１７２でＮＯ）、ステップＳ１７３及びＳ１７４の処理をスキップする。そして、相手先名及び電子メールアドレス等の入力を受け付ける（ステップＳ１７５）。そしてＣＰＵ１１は受け付けた相手先名及び電子メールアドレスをアドレスデータファイル１５２に登録する（ステップＳ１７６）。
【００４４】
ステップＳ１７１において新規登録ではないと判断した場合（ステップＳ１７１でＮＯ）、すなわちＣＰＵ１１が図９に示す「登録済アドレスを編集」ボタンに対応する信号を受け付けた場合、ＣＰＵ１１はセキュリティ環境に設定されているか否かを判断する（ステップＳ１７７）。ＣＰＵ１１がセキュリティ環境に設定されていると判断した場合（ステップＳ１７７でＹＥＳ）、テンキー１３１からパスワードの入力を受け付ける（ステップＳ１７８）。
【００４５】
ＣＰＵ１１はパスワードが正当であるか否かを判断する（ステップＳ１７９）。ＣＰＵ１１は予め記憶部１５に記憶したパスワードと、受け付けたパスワードを比較し、正当でないと判断した場合（ステップＳ１７９でＮＯ）、処理を終了する。一方、正当であると判断した場合（ステップＳ１７９でＹＥＳ）、ステップＳ１７１０へ移行する。ステップＳ１７７において、セキュリティ環境に設定されていないと判断した場合は（ステップＳ１７７でＮＯ）、ステップＳ１７８及びＳ１７９の処理をスキップする。
【００４６】
次に、ＣＰＵ１１はアドレスデータファイル１５２から相手先名をＲＡＭ１２に読み出す（ステップＳ１７１０）。ＣＰＵ１１はＲＡＭ１２に読み出した相手先名を表示部１４に図１１の如く表示する（ステップＳ１７１１）。ＣＰＵ１１は、操作部１３から編集対象の相手先名の選択を受け付ける（ステップＳ１７１２）。ＣＰＵ１１は受け付けた相手先名を基に、アドレスデータファイル１５２を検索し、対応する電子メールアドレス等を読み出す（ステップＳ１７１３）。これにより編集対象の電子メールアドレス、相手先名等が図１２に如く表示される。ユーザはテンキー１３１から電子メールアドレス等の編集情報を入力する。ＣＰＵ１１は編集後の情報を受け付け（ステップＳ１７１４）、受け付けた編集後の情報を相手先名に対応づけてアドレスデータファイル１５２に更新登録する（ステップＳ１７６）。このようにアドレスデータファイル１５２への新規登録及び編集時においても必要に応じて認証を行うよう構成したので、知らない間に第３者が送信先を登録または変更してしまう事態を回避することが可能となる。
【００４７】
実施の形態２
実施の形態１においては、認証処理を行うセキュリティプログラム１５１Ｐを記憶部１５に予めインストールする形態としたが、セキュリティプログラム１５１Ｐが記憶されたカートリッジＲＯＭ等の記録媒体を別途装着することにより本発明にかかる画像送信装置の機能を実現するようにしても良い。図１８は実施の形態２に係るインターネットファクシミリ装置１のハードウェア構成を示すブロック図である。図において１ａはセキュリティプログラム１５１Ｐが記憶されたカートリッジＲＯＭである。カートリッジＲＯＭ１ａはカートリッジインタフェース１１０に物理的に装着することで実施の形態１の如くプレインストールされたセキュリティプログラム１５１Ｐと同等の機能を果たす。すなわち、認証処理を行うかの否かの選択処理を図１５のフローチャートに従い実行し、認証処理を行う場合は、フラグが「１」にセットされるので、セキュリティプログラム１５１Ｐが適宜割り込み処理により実行される。その一方で、フラグ「０」がセットされた場合は、セキュリティプログラム１５１Ｐは実行されず、その結果認証処理も行われない。
【００４８】
本実施の形態２は以上の如き構成としてあり、その他の構成及び作用は実施の形態１と同様であるので、対応する部分には同一の参照番号を付してその詳細な説明を省略する。
【００４９】
【発明の効果】
以上詳述した如く、本発明にあっては、画像送信装置は、送信先のアドレスを入力するための入力手段によりアドレスが入力される場合に、その入力者が正当な権限を持つものであるか否か認証を行う。認証により正当と判断した場合に、画像送信装置は入力された送信先のアドレス宛へ画像データを送信する。このように構成したので、画像データがネットワークを通じて第３者に漏洩する事態を防止することが可能となる。
【００５０】
また、本発明にあっては、認証により正当と判断した場合に、画像送信装置は入力されたアドレスをアドレスデータファイルに登録する。そして、すでに登録したアドレスを編集する場合、画像送信装置はアドレスデータファイルに登録されたアドレスを読み出し、読み出したアドレスを編集する場合に、再度認証を行う。そして、認証により正当と判断された場合に、編集後のアドレスをアドレスデータファイルに登録更新する。このように構成したので、悪意のある者に送信先を自由に変更されるという事態を防止することが可能となる。
【００５１】
また、本発明にあっては、既に登録された送信先のアドレスがアドレスデータファイルから読み出された場合は、画像送信装置は認証を行わずに画像データをアドレス宛へ送信する。従って、セキュリティを保持しつつ、より使い勝手の良い画像送信装置を提供することが可能となる。
【００５２】
さらに、本発明にあっては、セキュリティのレベルを高める場合は、認証処理を画像送信装置に実行させ、セキュリティよりも使い勝手をよくする場合は、認証処理を画像送信装置に実行させないようにする。このように構成したので、ユーザの使用環境に応じた画像送信装置を提供することが可能となる等、本発明は優れた効果を奏し得る。
【図面の簡単な説明】
【図１】本発明に係る画像送信装置のハードウェア構成を示すブロック図である。
【図２】操作部及び表示部の概要を示す模式図である。
【図３】表示部に表示される案内情報のイメージを示す説明図である。
【図４】表示部に表示される案内情報のイメージを示す説明図である。
【図５】表示部に表示される案内情報のイメージを示す説明図である。
【図６】表示部に表示される案内情報のイメージを示す説明図である。
【図７】表示部に表示される案内情報のイメージを示す説明図である。
【図８】表示部に表示される案内情報のイメージを示す説明図である。
【図９】表示部に表示される案内情報のイメージを示す説明図である。
【図１０】表示部に表示される案内情報のイメージを示す説明図である。
【図１１】表示部に表示される案内情報のイメージを示す説明図である。
【図１２】表示部に表示される案内情報のイメージを示す説明図である。
【図１３】表示部に表示される案内情報のイメージを示す説明図である。
【図１４】表示部に表示される案内情報のイメージを示す説明図である。
【図１５】認証処理を行うか否かの設定を行う際の手順を示すフローチャートである。
【図１６】電子メールアドレスを入力する際の、認証処理の手順を示すフローチャートである。
【図１７】電子メールアドレスを新規登録または編集する場合の処理手順を示すフローチャートである。
【図１８】実施の形態２に係る画像送信装置のハードウェア構成を示すブロック図である。
【符号の説明】
１  画像送信装置（インターネットファクシミリ装置）
１１  ＣＰＵ
１５  記憶部
１５１Ｐ  セキュリティプログラム
１５２  アドレスデータファイル
１４  表示部
１３  操作部（入力手段）
１ａ  カートリッジＲＯＭ
１１０  カートリッジインタフェース
１６１  ＮＣＵ
１６２  モデム（送信手段）
【図１】
2004289311.tif 000003
【図２】
2004289311.tif 000004
【図３】
2004289311.tif 000005
【図４】
2004289311.tif 000006
【図５】
2004289311.tif 000007
【図６】
2004289311.tif 000008
【図７】
2004289311.tif 000009
【図８】
2004289311.tif 000010
【図９】
2004289311.tif 000011
【図１０】
2004289311.tif 000012
【図１１】
2004289311.tif 000013
【図１２】
2004289311.tif 000014
【図１３】
2004289311.tif 000015
【図１４】
2004289311.tif 000016
【図１５】
2004289311.tif 000017
【図１６】
2004289311.tif 000018
【図１７】
2004289311.tif 000019
【図１８】
2004289311.tif 000020